(57)【要約】【課題】ペット、特に猫が爪磨き本体を引っ掻いて爪を磨く際に発生する爪磨き屑の飛散を防止できること。【解決手段】ブロック形状で磨き面１４が粗面に形成された爪磨き本体１３と、上記磨き面を露出させて爪磨き本体を収容可能な収容空間１２を形成するケース１１とを有し、上記ケースは、収容空間を囲む全部が箱形状に構成され、この箱形状部分（側縁部１５、下縁部１６、上縁部１７）のうちの下縁部には、上記収容空間内に収容された爪磨き本体の磨き面を臨む位置に磨き屑取込開口４７が形成されたものである。【選択図】    図１
2004187512.tif 000002
【特許請求の範囲】
【請求項１】
ブロック形状で磨き面が粗面に形成された爪磨き本体と、上記磨き面を露出させて上記爪磨き本体を収容可能な収容空間を形成するケースとを有し、
上記ケースは、上記収容空間を囲む全部または一部が箱形状に構成され、この箱形状部分には、上記収容空間内に収容された上記爪磨き本体の上記磨き面を臨む位置に取込開口が形成されたことを特徴とする爪磨き具。
【請求項２】
上記ケースの底面には、この底面と平行またはこの底面に垂直に位置付け可能なスタンドサポートが設けられ、このスタンドサポートにスタンドが係合されることにより、上記ケースが傾斜配置可能に構成されたことを特徴とする請求項１に記載の爪磨き具。
【請求項３】
上記ケースには、収納または進出可能で、進出時に当該ケースに係止されるフックが設けられたことを特徴とする請求項１または２に記載の爪磨き具。
【請求項４】
上記ケースにおける箱形状部分が、収納空間を囲む全てにおいて形成されて額縁形状に構成されたことを特徴とする請求項１乃至３のいずれかに記載の爪磨き具。
【請求項５】
上記ケースには、収容空間を囲む部分に、この収納空間内に収容された爪磨き本体の一部を覆う抑止部が設けられたことを特徴とする請求項１乃至４のいずれかに記載の爪磨き具。
【発明の詳細な説明】
【０００１】
【発明の属する技術分野】
本発明はペット、特に猫の爪磨き具に関する。
【０００２】
【従来の技術】
猫には爪を磨く習性がある。そのため、家庭で飼育されている猫は、柱や畳を爪で引っ掻いて傷つけてしまうことが多い。これを防止するために、爪磨き具が従来から提案されている。
このような爪磨き具は、特許文献１に示すように、上面が開口された箱形状のケース内に爪磨き本体が収容されたものである。
【０００３】
【特許文献１】
実開平４‐７１４５０号公報
【０００４】
【発明が解決しようとする課題】
上述のように、従来の爪磨き具では、爪磨き本体がケース内に収容されたものであり、爪磨き本体の磨き面を猫が爪で引っ掻いた時に、その磨き屑がケース外へ飛散してしまう。
【０００５】
本発明の目的は、上述の事情を考慮してなされたものであり、ペット、特に猫が爪磨き本体を引っ掻いて爪を磨く際に発生する爪磨き屑の飛散を防止できる爪磨き具を提供することにある。
【０００６】
【課題を解決するための手段】
請求項１に記載の発明は、ブロック形状で磨き面が粗面に形成された爪磨き本体と、上記磨き面を露出させて上記爪磨き本体を収容可能な収容空間を形成するケースとを有し、上記ケースは、上記収容空間を囲む全部または一部が箱形状に構成され、この箱形状部分には、上記収容空間内に収容された上記爪磨き本体の上記磨き面を臨む位置に取込開口が形成されたことを特徴とするものである。
【０００７】
請求項２に記載の発明は、請求項１に記載の発明において、上記ケースの底面には、この底面と平行またはこの底面に垂直に位置付け可能なスタンドサポートが設けられ、このスタンドサポートにスタンドが係合されることにより、上記ケースが傾斜配置可能に構成されたことを特徴とするものである。
【０００８】
請求項３に記載の発明は、請求項１または２に記載の発明において、上記ケースには、収納または進出可能で、進出時に当該ケースに係止されるフックが設けられたことを特徴とするものである。
【０００９】
請求項４に記載の発明は、請求項１乃至３のいずれかに記載の発明において、上記ケースにおける箱形状部分が、収納空間を囲む全てにおいて形成されて額縁形状に構成されたことを特徴とするものである。
【００１０】
【発明の実施の形態】
以下、本発明の実施の形態を、図面に基づき説明する。
〔Ａ〕第１の実施の形態（図１〜図１１）
図１は、本発明に係る爪磨き具における第１の実施の形態を示す斜視図である。図９は、図１の爪磨き具を分解して示す斜視図である。
【００１１】
これらの図に示す爪磨き具１０は、小動物、特に猫が爪を磨くためのものであり、ケース１１に形成された収容空間１２内に爪磨き本体１３が、その磨き面１４を露出させて収容されたものである。
【００１２】
上記爪磨き本体１３は、ブロック形状で磨き面１４が粗面に形成されたものであり、例えば厚手の段ボール紙を積層したものや、芯材の表面に不織布または厚手の布を貼着したものなどである。本実施の形態のごとく、段ボール紙を積層して爪磨き本体１３を構成する場合には、猫の爪が引っ掛かり易くなるように、積層した段ボール紙の波形の中芯紙が表れる面が磨き面１４とされる。
【００１３】
上記ケース１１は、図９に示すように、収容空間１２を囲む全ての部分が箱形状の箱形状部分（側縁部１５、下縁部１６及び上縁部１７）にて構成される。これらの箱形状部分は、図１０に示すように断面三角形状であり、したがって、額縁形状に形成されている。
【００１４】
このケース１１には、図１及び図９に示すように、底面１８に設けられたスタンドサポート１９を介してスタンド２０が取り付けられ、ケース１１は、このスタンド２０によって傾斜配置可能に構成される。また、ケース１１の底面１８には、上縁部１７に対し進出可能で、進出時に上縁部１７から突出するフック２４が設けられ、ケース１１は、図１１に示すように、このフック２４を用いて柱９や壁などに懸吊可能とされる。
【００１５】
側縁部１５、下縁部１６及び上縁部１７が箱形状のケース１１は、段ボール等の板材を折り曲げて形成され、図２にその展開状態を示し、図３にスタンドサポート１９及びスタンド２０の展開状態、並びにフック２４の平面状態を示す。
【００１６】
底面１８の長辺側には、互いに対向する位置に側縁部１５を構成する第１側縁片２１及び第２側縁片２２が、折り曲げ線ａ、ｂを介して連接され、第２側縁片２２に係止片２３が一体に形成されている。また、底面１８の一方の短辺側には、下縁部１６を構成する第１下縁辺２５、第２下縁片２６及び第３下縁片２７が、折り曲げ線ｃ、ｄ、ｅをそれぞれ介して連接されている。さらに、底面１８の他方の短辺側には、上縁部１７を構成する第１上縁片２８、第２上縁片２９、第３上縁片３０が、折り曲げ線ｆ、ｇ、ｈをそれぞれ介して連接されている。
【００１７】
図２及び図４に示すように、第１側縁片２１、第２側縁片２２を折り曲げ線ａ、ｂのそれぞれに沿って内側に折り曲げ、係止片２３を、底面１８に形成された係止穴３１に挿入することによって、断面三角形状の側縁部１５が構成される。また、第１下縁片２５、第２下縁片２６、第３下縁片２７を、折り曲げ線ｃ、ｄ、ｅのそれぞれに沿って内側に折り曲げ、図１０に示すように、第３下縁片２７を底面１８に接触させることで、断面三角形状の下縁部１６が構成される。さらに、図２、図４及び図１０に示すように、第１上縁片２８、第２上縁片２９、第３上縁片３０を折り曲げ線ｆ、ｇ、ｈのそれぞれに沿って内側に折り曲げ、第３上縁片３０を底面１８に対しほぼ平行に配置させることによって、断面三角形状の上縁部１７が構成される。
【００１８】
図２に示すように、第１下縁片２５及び第１上縁片２８の両側には、三角形状の挿入三角片３２が、折り曲げ線を介して連接される。また、第２下縁片２６及び第２上縁片２９の両側には、四角形状の挿入四角片３３が、折り曲げ線を介して連接される。これらの挿入三角片３２及び挿入四角片３３は、側縁部１５、下縁部１６、上縁部１７の組立時に、図４に示すように側縁部１５内に収納される。これにより、側縁部１５、下縁部１６及び上縁部１７は、図５に示すように、相互の接合箇所に隙間が存在しない状態で連通して接続される。
【００１９】
図２に示すように、ケース１１の底面１８には、係止穴３１から第１上縁片２８に至る領域に、挿入穴３４及び３５が形成されている。これらの挿入穴３４及び３５は、折り曲げ線ｆに沿って、両端が第１側縁片２１近傍に至るまで延在して形成される。そして、挿入穴３５は、挿入穴３４よりも幅広く形成され、これらの挿入穴３４及び３５にスタンドサポート１９が挿入される。
【００２０】
このスタンドサポート１９は、図３（Ａ）に示すように四角形状に形成され、中央部分に折り曲げ線ｉ及びｊが平行に形成されるとともに、これら折り曲げ線ｉ及びｊの外側の側辺部４９及び５０にサポート側切込み３６が形成されている。また、スタンドサポート１９には、折り曲げ線ｊに接する中央位置に開口３７が形成される。
【００２１】
さらに、前記スタンド２０は、図３（Ｂ）に示すように台形形状に形成され、この台形形状の平行な辺に垂直に、折り曲げ線ｋ及びｍが、互いに平行にスタンド２０のほぼ中央部分に形成される。また、スタンド２０には、台形形状の対向する斜辺３８が、折り曲げ線ｋ及びｍに対し同一の角度θに設定されている。この角度θは、スタンド２０を用いたケース１１の傾斜角度を規定するものであり、例えば３０度に設定される。さらに、折り曲げ線ｋ、ｍの両側における斜辺３８を有した側辺部５１，５２に、折り曲げ線ｋ、ｍに垂直なスタンド側切込み３９が形成されている。
【００２２】
図５及び図６に示すように、側縁部１５、下縁部１６及び上縁部１７が箱形状に形成されたケース１１の底面１８における挿入穴３４、３５に、折り曲げ線ｉ及びｊにて折り曲げられたスタンドサポート１９の側辺部４９、５０がそれぞれ差し込まれて挿入される。この状態で、スタンドサポート１９の側辺部４９及び５０は、折り曲げ線ｉ、ｊのそれぞれを境に底面１８に平行、または底面１８に垂直に折り曲げ可能に設けられる。これらの側辺部４９及び５０を底面１８に垂直に設定した状態で、スタンドサポート１９のサポート側切込み３６に、図７に示すように、折り曲げ線ｋ及びｍにて折り曲げられたスタンド２０のスタンド側切込み３９が差し込まれて、図８に示すように、スタンド２０がスタンドサポート１９に係合される。これにより、ケース１１がスタンド２０により、前記角度θにて傾斜配置される。
【００２３】
また、ケース１１が柱９等にフック２４を用いて懸吊され（後述）、または平置き配置される際には、スタンドサポート１９にスタンド２０が装着されず、スタンドサポート１９の側辺部４９及び５０は、折り曲げ線ｉ及びｊを境に底面１８に平行に配設されて、この底面１８に接着テープ等で止着される。
【００２４】
前記フック２４は、図３（Ｃ）に示すように、頭部４３の両側から係止腕部４２が外方へ延び、この頭部４３に懸吊用穴４４を備え、脚部１５を有する板状体である。また、図２に示すように、ケース１１における第１上縁片２８には、折り曲げ線ｆに接するほぼ中央位置にスライド開口４０が形成される。このスライド開口４０に連続してフック引出開口４１が底面１８に形成されている。
【００２５】
上記フック２４は、側縁部１５、下縁部１６及び上縁部１７が箱形状に形成されたケース１１の底面１８における挿入穴３４及び３５にスタンドサポート１９を挿入する際に、頭部４３を上記スライド開口４０に挿入し、脚部４５をスタンドサポート１９の開口３７内に挿入する。これにより、フック２４は、図１０に示すように、脚部４５がケース１１の底面１８とスタンドサポート１９との間に挟持されるとともに、頭部４３が底面１８と第３上縁片３０との間に保持されて、ケース１１内に収納される。
【００２６】
このフック２４は、ケース１１に収納、またはケース１１から進出可能に構成され、使用者がフック引出開口４１から指で引出操作することによって、図１１に示すように、その頭部４３がケース１１の外方へ進出する。フック２４は、ケース１１からの進出時に、両係止腕部４２がケース１１における折り曲げ線ｆ部分に係止されて抜け止められる。フック２４が柱９や壁などに引っ掛けられることにより、このフック２４を用いて爪磨き具１０が柱９や壁に懸吊可能とされる。
【００２７】
また、図２に示すように、ケース１１の底面１８に取出口４６が形成される。この取出口４６は、本実施の形態では、底面１８において第１下縁片２５側の位置に形成される。図９に示すように、爪磨き具１０においてケース１１の底面１８の裏側から使用者が取出口４６に指を差し込むことによって、爪磨き本体１３がケース１１から持ち上がり、爪磨き本体１３の使用されていない磨き面１４を露出させるようにして、この爪磨き本体１３を反転させる。なお、爪磨き本体１３の磨き面１４には、猫を強く誘引するマタタビの水溶液等が塗布されることが好ましい。
【００２８】
さらに、図２に示すように、第２下縁片２６の中央位置に磨き屑取込開口４７が形成されている。この磨き屑取込開口４７は、折り曲げ線ｄ及びｅに接して形成される。従って、磨き屑取込開口４７は、図１に示すように、側縁部１５、下縁部１６及び上縁部１７が箱形状に形成されて収容空間１２内に爪磨き本体１３が収容されたとき、図１０に示すように、爪磨き本体１３の磨き面１４を臨む位置に設けられる。従って、猫が爪磨き本体１３の磨き面１４を引っ掻くことによって生じた磨き屑４８が、磨き屑取込開口４７を通して取り込まれ、下縁部１６内に収納される。この磨き屑４８は、爪磨き具１０を傾けることなどによって、下縁部１６と相互に連通した側縁部１５及び上縁部１７内にも収納可能とされる。
【００２９】
以上のように構成されたことから、上記実施の形態によれば、次の効果▲１▼及び▲２▼を奏する。
▲１▼ケース１１の下縁部１６が箱形状に構成され、しかもこの下縁部１６に形成された磨き屑取込開口４７が、ケース１１の収容空間１２に収容された爪磨き本体１３の磨き面１４を臨む位置に構成されたことから、猫が爪磨き本体１３の磨き面１４を引っ掻くことによって生じた磨き屑４８を、この磨き屑取込開口４７を通して下縁部１６内に取り込むことができ、磨き屑４８の飛散を防止できる。
【００３０】
▲２▼ケース１１は、スタンドサポート１９を介してスタンド２０により傾斜配置可能とされ、また、フック２４を用いて懸吊可能に構成され、更に、底面１８を床面に接触させる等して平置き配置可能に構成されたので、猫の注意を引く配置を選択でき、この爪磨き具１０を用いて猫に爪磨きを確実に実施させることができる。この結果、猫が家具等を引っ掻いて傷つけることを防止できる。
【００３１】
［Ｂ］第２の実施の形態（図１２〜図１５）
図１２は、本発明に係る爪磨き具における第２の実施の形態を示す斜視図である。図１５は、図１２の爪磨き具を示す平面図である。この第２の実施の形態において、前記第１の実施の形態と同様な部分は、同一の符号を付すことにより説明を省略する。
【００３２】
この第２の実施の形態の爪磨き具６０におけるケース６１には、図１２に示すように、収納空間１２を囲む部分のうち、上縁部１７と側縁部１５とが接合する部分に抑止部６２が配設されている。この抑止部６２は、図１５に示すように、ケース６１の収納空間１２内に収容された爪磨き本体１３のうち、ケース６１の上縁部１７と側縁部１５との接合部分に対応する隅部を覆う位置に設けられる。
【００３３】
この抑止部６２を備えたケース６１は図１３の展開図に示され、抑止部６２は、図１４に示すようにして取り付けられる。
つまり、図１３に示すように、上縁部１７は、第１上縁片２８、第２上縁片６５及び第３上縁片６６を有して構成され、上記第２上縁片６５が第１上縁片２８に折り曲げ線ｇを介して連接され、上記第３上縁片６６が第２上縁片６５に折り曲げ線ｈを介して連接される。これらの第１上縁片２８、第２上縁片６５及び第３上縁片６６を、図１４に示すように、折り曲げ線ｆ、ｇ、ｈのそれぞれに沿って内側に折り曲げ、第３上縁片６６を底面１８に対しほぼ平行に配置することによって、断面三角形状の上縁部１７が構成される。
【００３４】
更に、図１３に示すように、第１上縁片２８には、第２上縁片６５が連接される両側に、折り曲げ線ｎを介して前記抑止部６２が連接される。そして、この抑止部６２に、折り曲げ線ｇを介して係止舌片６３が連接される。ここで、図１３に示す展開状態において、抑止部６２の傾斜辺６４と、第２上縁片６５及び６６の連続する傾斜辺６７及び６８との間には、寸法Ｌの隙間が形成されている。この隙間は形成されなくてもよい。
【００３５】
前述のように、第１上縁片２８、第２上縁片６５及び第３上縁片６６を折り曲げて上縁部１７を構成すると同時またはその後に（図１４）、抑止部６２を折り曲げ線ｎに沿って内側に折り曲げ、係止舌片６３を折り曲げ線ｑに沿って内側に折り曲げ、この係止舌片６３を側縁係止穴６９に挿入して、抑止部６２が側縁部１５に係止して固定される。上記側縁係止穴６９は、上縁部１５を構成する第１側縁片２１において、折り曲げ線ｂ（図１３）に接して形成され、側縁部１５の頂部に位置する。
【００３６】
従って、上記実施の形態の爪磨き具６０によれば、前記爪磨き具１０の効果▲１▼及び▲２▼と同様な効果を奏するほか、次の効果▲３▼〜▲５▼を奏する。
▲３▼抑止部６２は、図１２に示すように、側縁部１５に固定された状態で、収容空間１２内に収容された爪磨き本体１３の磨き面１４における、側縁部１５と上縁部１７との隅部を覆う。これにより、爪磨き具６０が、スタンドサポート１９及びスタンド２０を用いて傾斜配置された場合にも、また、フック２４（図１５）を用いて懸吊配置された場合にも、爪磨き本体１３における磨き面１４への猫の爪磨き行為中に、この爪磨き本体１３がケース６１から浮き上がって離脱することを防止できる。
【００３７】
▲４▼この爪磨き具６０におけるケース６１では、図１４に示すように、側縁部１５の係止片２３が第２側縁片２２に複数個、例えば２個設けられる。これにより側縁部１５は、底面１８に隙間なく緊密に接合されることになり、下縁部１６内に収納された磨き屑が側縁部１５内に移動した場合にも、側縁部１５と底面１８との隙間を通して、側縁部１５外へ漏れ出ることを防止できる。
【００３８】
▲５▼ケース６１の底面１８には、取出口４６が、下縁部１６と側縁部１５との接合部に近い位置に形成される。従って、抑止部６２の係止舌片６３を側縁係止穴６９から抜け出させた状態で、使用者が底面１８の裏側から上記位置の取出口４６に指を差し込むことによって、爪磨き本体１３の隅部がケース６１に対し持ち上がることになり、当該爪磨き本体１３の取り出しを容易化できる。
【００３９】
以上、本発明を上記実施の形態に基づいて説明したが、本発明はこれに限定されるものではない。
例えば、上記両実施の形態では、箱形状に形成された下縁部１６のみに磨き屑取込開口４７が形成されたものを述べたが、側縁部１５若しくは上縁部１７にも上記磨き屑取込開口４７を形成してもよく、または側縁部１５、下縁部１６及び上縁部１７の全てに磨き屑取込開口４７を形成してもよい。
【００４０】
また、磨き屑取込開口４７が形成された下縁部１６のみが箱形状に構成され、磨き屑取込開口４７が形成されていない側縁部１５及び上縁部１７は箱形状でなく、単なる板状に構成されてもよい。
【００４１】
更に、第２の実施の形態の爪磨き具６０では、抑止部６２は、ケース６１における側縁部１５と上縁部１７との接合する箇所に設けられるものを述べたが、更に、側縁部１５と下縁部１６との接合箇所にも設けられてもよい。
【００４２】
【発明の効果】
本発明に係る爪磨き具によれば、ペット、特に猫が爪磨き本体を引っ掻いて爪を磨く際に発生する爪磨き屑の飛散を防止できる。
【図面の簡単な説明】
【図１】本発明に係る爪磨き具における第１の実施の形態を示す斜視図である。
【図２】図１のケースを示す展開図である。
【図３】（Ａ）、（Ｂ）が図１のスタンドサポート、スタンドをそれぞれ示す展開図、（Ｃ）が図１のフックを示す平面図である。
【図４】図２のケースの組立途中を示す斜視図である。
【図５】組み立てられたケースにスタンドサポートおよびフックを組み付ける状況を示す斜視図である。
【図６】組み立てられたケースにスタンドサポートおよびフックを組み付けた状態を示す斜視図である。
【図７】スタンドサポートにスタンドを組み付ける状況を示す斜視図である。
【図８】スタンドサポートにスタンドを組み付けた状態を示す斜視図である。
【図９】図８のケースに爪磨き本体を装着する状況を示す斜視図である。
【図１０】図６のＸ‐Ｘ線に沿う断面図である。
【図１１】図９におけるフックの収納及び進出状態を示す平面図である。
【図１２】本発明に係る爪磨き具における第２の実施の形態を示す斜視図である。
【図１３】図１２のケースを示す展開図である。
【図１４】図１３のケースの組立途中を示す斜視図である。
【図１５】組み立てられたケースに爪磨き本体を組み付けた状態を示す平面図である。
【符号の説明】
１０  爪磨き具
１１  ケース
１２  収容空間
１３  爪磨き本体
１４  磨き面
１５  側縁部（箱形状部分）
１６  下縁部（箱形状部分）
１７  上縁部（箱形状部分）
１９  スタンドサポート
２０  スタンド
２４  フック
４０  スライド開口
４２  係止腕部
４３  頭部
４４  懸吊用穴
４７  磨き屑取込開口
４８  磨き屑
６０  爪磨き具
６１  ケース
６２  抑止部
６３  係止舌片
６９  側縁係止穴
【図１】
2004187512.tif 000003
【図２】
2004187512.tif 000004
【図３】
2004187512.tif 000005
【図４】
2004187512.tif 000006
【図５】
2004187512.tif 000007
【図６】
2004187512.tif 000008
【図７】
2004187512.tif 000009
【図８】
2004187512.tif 000010
【図９】
2004187512.tif 000011
【図１０】
2004187512.tif 000012
【図１１】
2004187512.tif 000013
【図１２】
2004187512.tif 000014
【図１３】
2004187512.tif 000015
【図１４】
2004187512.tif 000016
【図１５】
2004187512.tif 000017